(57)【要約】【課題】電磁弁や比例弁に異物がかみこんだ場合でも安全性を確保すること。【解決手段】万一電磁弁や比例弁に異物がかみこんだ状態になり、運転スイッチ２１を切っても燃焼が継続している場合には、燃焼検出器３または温度検出器３がこれを検出して、このことを使用者に報知するようにしている。これによって、異常時の安全性を確保することが可能となる。【選択図】図１
2006105505.tif 000002
【特許請求の範囲】
【請求項１】
燃料を燃焼するバーナーと、燃焼により発生した排気ガスと外部より取り込んだ空気を混合する燃焼室と、外部から取り込んだ空気を前記バーナーに供給すると共に風を送出するの送風ファンと、前記送風ファンを駆動するファンモーターと、空気吸い込み口に設けられたエアーフィルターと、燃焼室に設けられた燃焼検出器と、前記バーナーへの燃料供給と前記ファンモーターの駆動を制御する制御装置と、前記燃焼室の上部に設けられた温度検出器と、前記バーナーにガスを供給・遮断する電磁弁と、供給するガス流量を制御する比例弁と、機器上部に設けられ運転の入り・切りを行う運転スイッチと、異常を報知する放置手段とを備え、前記バーナーでガスを燃焼中に運転スイッチを切り、制御装置が前記電磁弁および比例弁にガスを遮断するよう信号を送った後、所定時間経過後に前記燃焼検出器が燃焼を検出すると前記報知手段により報知するようにしたことを特徴とする温風暖房装置。
【請求項２】
バーナーでガスを燃焼中に運転スイッチを切り、制御装置が電磁弁および比例弁にガスを遮断するように信号を送った後、所定時間経過後に燃焼検出器が燃焼を検出すると、比例弁に最大燃焼時に必要な電流よりも大きい電流を所定回数供給する請求項１記載の温風暖房装置。
【請求項３】
バーナーでガスを燃焼中に運転スイッチを切り、制御装置が電磁弁にガスを遮断するよう信号を送った後、所定時間経過後に温度検出器が所定温度以上の温度を検出すると、報知手段が報知する請求項１記載の温風暖房装置。
【請求項４】
報知手段は、ブザーあるいは温度表示にエラーコードを表示する請求項１又は２記載の温風暖房装置。
【請求項５】
燃焼検出器は、バーナー上部に設けられた熱電対（エレメント）である請求項１〜４のいずれか１項に記載の温風暖房装置。
【請求項６】
温度検出器は、サーミスターである請求項１〜４のいずれか１項に記載の温風暖房装置
。
【発明の詳細な説明】
【技術分野】
【０００１】
本発明は、室内開放型あるいは強制給排気式のガス温風暖房機に関するものである。
【背景技術】
【０００２】
従来の温風暖房装置を図２に示す（例えば特許文献１参照）。図において、バーナー１にて供給されたガスの燃焼を行う。燃焼により発生した排気ガスと空気を混合する燃焼室２がある。燃焼室２のバーナー１の上部には燃焼を検出する燃焼検出器３がある。バーナー１の下方には温風を送出するための送風ファン４が設けられている。また、送風ファン４を駆動するためのファンモーター１４が送風ファン４の側面に取り付けられている。送風ファン４の前方には温風吹出し口５が取り付けられている。ケース６の後面には対流用空気７を取り入れるためのエアーフィルター８がある。その内側には室温を検出するための室温検出器９が設けられている。バーナー１にガスを供給・遮断する電磁弁１７とガスの流量を制御ししかもガスを供給・遮断する機能を有することもある比例弁１６がある。この電磁弁１７と比例弁１６は一体で構成される場合が多い。燃焼室２の上部には温度検出器１８が設けられ、所定温度になるとそれを検出して、掃除を促す目詰まり表示器１９がある。操作部２０には暖房の運転を入り切りする運転スイッチ２１がある。制御装置１３と、バーナー１、ファンモーター１４、燃焼検出器３、室温検出器９、温度検出器１８、運転スイッチ２１、比例弁１６、電磁弁１７は図の破線で電気的につながっていて、設定の室温になるように各部品の制御をしている。制御装置１３には、記憶手段２８がある。
【０００３】
次にその動作について説明する。運転スイッチ２１を押すと、電磁弁１７、比例弁１６が開弁して、ガスがバーナー１に供給され、バーナー１でガスを燃焼させる。燃焼検出器３が燃焼を検出して、電磁弁１７が開の状態を継続してバーナーにガスを供給し続ける。発生する高温の排気ガスと、燃焼室２の燃焼風路内でエアーフィルター８を通過した対流用空気が混合される。混合された温風は、送風ファン４によって前面下部の温風吹出し口５から温風になって送出され暖房を行う。室温検出器９が室温を検出して、室温が設定温度になるように制御装置１３が比例弁１６の開度を調整して、バーナー１での燃焼をコントロールする。燃焼室２の上部に設けられた温度検出器１８が、燃焼室２の温度を検出する。エアーフィルター８にほこりが付着すると、燃焼に必要な空気が減少して、炎が伸び燃焼室２の温度が上昇する。
【０００４】
温度検出器１８は燃焼室２の温度が上昇したことを検出すると、制御装置１３が使用者に掃除をするよう目詰まり表示器１９で表示を行うように制御する。これを一般的にフィルターサインと言う。このフィルターサイン表示で使用者がほこり除去を促す。また、バーナー１で燃焼中に運転スイッチ２１を押されると、電磁弁１７と比例弁１６が閉弁して、バーナー１にガスの供給が停止する。燃焼室２には熱が残っているので冷却するため、送風ファン４を所定時間回転させる。電磁弁１７はここでは一個しか図には記載されていないが、複数個の場合もある。
【０００５】
また、電磁弁１７の断面を図３に示す。凸形状をした固定鉄心３１と、固定鉄心３１との接触側は凹形状になっている可動鉄心３０と、外側にはコイル３２が設けられている。可動鉄心３０の反対側には弁ゴム３３が取り付けられボディーの弁座３４と接触している。固定鉄心３１の外側には円筒状の鉄心カバー３５がある。可動鉄心３０の凹形状部３６にはキラースペーサー３７が装着されている。
【０００６】
また、コイル３２に通電すると磁界が発生して、固定鉄心３１に磁力が発生する。鉄心カバー３５は磁界の影響を受けない材料でできているため、固定鉄心３１は可動鉄心３０の方向つまり上方向に引っ張られる。すると弁ゴム３３と弁座３４との間に隙間が発生してガスが流れる。可動鉄心３０の上方は凹形状３６になっていて、ここに固定鉄心３１の先端は一部入りこむ。接触面積を増やすことにより、コイル３２に発生させる磁界が小さくても可動鉄心３０を引き上げることができる。
【０００７】
次に比例弁１６の断面図を図４に示す。鉄心Ｂ４０の外側にはコイルＢ４１がある。この下部には、弁体４２があり、弁体４２の上部にはマグネット４３が装着されている。弁体４２の下部には、弁ゴムＢ４４が装着されている。弁ゴムＢ４４とボディーＢ４５の弁座Ｂ４６は接触して、ガスの閉止をしている。マグネット４３の下部には弁体４２に取り付けられたダイヤフラム４７が設けられている。
【０００８】
次にその動作について説明する。コイル４１に通電すると磁界が発生して、固定鉄心Ｂ４０に磁力が発生する。するとその磁力とマグネット４３の磁力が反発して、マグネット４３の取り付けられた弁体４２が下方に移動する。その距離はコイルＢ４１に通電する電流値で調整することができる。弁体４２に取り付けられた弁ゴムＢ４４も下方に動くため、弁座Ｂ４６と弁ゴムＢ４４との間に隙間があき、ガスが流れる。弁座Ｂ４６の径とダイヤフラム４７の有効径が等しいため、ガスの一次圧の影響を受けずにこの隙間を保つことができ、流すガス量（二次圧）を一定にできる。コイルＢ４１に通電していない状態では、固定鉄心Ｂ４０には磁力がないため、マグネット４３の磁力で弁体４２が上方に引かれ、弁ゴムＢ４４は弁座Ｂ４６に押し当てられ、ガスを閉止している。また、制御装置１３に設けられた記憶手段２８は、電磁弁１７あるいは比例弁１６の少なくともいずれか一方への通電時間の積算値を記憶して、その通電時間が所定値を越えたら警告表示を行う。
【特許文献１】特開平１１−２５７７５１号公報
【発明の開示】
【発明が解決しようとする課題】
【０００９】
しかしながら、運転スイッチをＯＦＦした際に電磁弁と比例弁の両方の内部に異物が入り、弁が閉じずガスが遮断されない場合、あるいは他の理由で弁が閉じない場合は燃焼が継続することがある。すると送風ファンがとまった状態で燃焼していることになり、機器の損傷につながる場合がある。
【００１０】
本発明は、前記従来の課題を解決するもので、運転スイッチＯＦＦ後の燃焼継続を防止して、安全性を確保し、使用者が安心して使用できる温風暖房機を提供することを目的とする。
【課題を解決するための手段】
【００１１】
前記従来の課題を解決するために、本発明の温風暖房機は、異常を報知する放置手段を設け、バーナーでガスを燃焼中に運転スイッチを切り、制御装置が電磁弁および比例弁にガスを遮断するよう信号を送った後、所定時間経過後燃焼検出器が燃焼を検出すると、報知手段が報知する制御手段を設けたものである。運転スイッチを切り、さらに送風ファンがとまっても燃焼が継続する場合は報知して、使用者にガスの元栓をきるように注意を呼びかける。以上により安全を確保する。
【発明の効果】
【００１２】
以上のように、本発明によれば、燃焼後運転を停止したとき、電磁弁と比例弁の両方のガスの通路に異物が入り、閉止ができず燃焼が継続する場合でも、その状態を検出して、報知手段により使用者に異常を報知したり、さらに比例弁の電流を供給して振動を与え電磁弁を閉弁させ、ガスを遮断することにより、安全性の高い温風暖房機を提供することができる。
【発明を実施するための最良の形態】
【００１３】
本発明の請求項１記載の発明は、燃料を燃焼するバーナーと、燃焼により発生した排気ガスと外部より取り込んだ空気を混合する燃焼室と、外部から取り込んだ空気を前記バーナーに供給するとともに温風を送出するための送風ファンと、前記送風ファンを駆動するファンモーターと、空気吸い込み口に設けられたエアーフィルターと、燃焼室に設けられた燃焼検出器と、前記バーナーへの燃料供給と前記ファンモーターの駆動を制御する制御装置と、燃焼室上部に設けられた温度検出器と、バーナーにガスを供給・遮断する電磁弁と、供給するガス流量を制御する比例弁と、機器上部に設けられ運転の入り・切りを行う運転スイッチと、異常を報知する報知手段を設け、バーナーでガスを燃焼中に運転スイッチを切り、制御装置が電磁弁および比例弁にガスを遮断するよう信号を送った後、所定時間経過後燃焼検出器が燃焼を検出すると、報知手段が報知する制御手段を設けて、使用者に異常を報知する。
【００１４】
本発明の請求項２記載の発明は、バーナーでガスを燃焼中に運転スイッチを切り、制御装置が電磁弁および比例弁にガスを遮断するよう信号を送った後、所定時間経過後燃焼検出器が燃焼を検出すると、比例弁に最大燃焼時に必要な電流よりも大きい電流を所定回数供給する制御手段を設けている。
【００１５】
本発明の請求項３記載の発明は、バーナーでガスを燃焼中に運転スイッチを切り、制御装置が電磁弁および比例弁にガスを遮断するよう信号を送った後、所定時間経過後温度検出器が所定温度以上の温度を検出したら、報知手段が報知する制御手段を設けている。
【００１６】
本発明の請求項４記載の発明は、報知手段は、ブザーあるいは温度表示にエラーコードを表示して、使用者に異常を知らせる。
【００１７】
本発明の請求項５記載の発明は、燃焼検出器は、バーナー上部に設けられた熱電対（エレメント）であり、安価にこの構成を実現させている。
【００１８】
本発明の請求６記載の発明は、温度検出器は、サーミスターである。
【００１９】
以下、本発明をガスファンヒーターに適応した実施の形態について図面を参照しながら説明する。
【００２０】
（実施の形態１）
図１は、本発明の実施の形態の温風暖房機の基本構成を示す側面断面図である。燃焼により発生した排気ガスと空気を混合する燃焼室２がある。燃焼室２のバーナー１の上部には燃焼を検出する燃焼検出器３がある。バーナー１の下方には温風を送出するための送風ファン４が設けられている。また、送風ファン４を駆動するためのファンモーター１４が送風ファン４の側面に取り付けられている。送風ファン４の前方には温風吹出し口５が取り付けられている。ケース６の後面には対流用空気７を取り入れるためのエアーフィルター８がある。その内側には室温を検出するための室温検出器９が設けられている。バーナー１にガスを供給・遮断する電磁弁１７とガスの流量を制御ししかもガスを供給・遮断する機能を有することもある比例弁１６がある。この電磁弁１７と比例弁１６は一体で構成される場合が多い。燃焼室２の上部には温度検出器１８が設けられ、所定温度になるとそれを検出して、掃除を促す目詰まり表示器１９がある。操作部２０には暖房の運転を入り切りする運転スイッチ２１がある。
【００２１】
さらに、操作部２０には、異常時に使用者に音声または番号で異常を知らせる報知手段２２がある。制御装置１３には電磁弁１７にガスを遮断するよう信号を送った後、所定時間経過後燃焼検出器３が燃焼を検出すると、報知手段２２が報知する制御手段２３を設けている。制御装置１３と、バーナー１、ファンモーター４、燃焼検出器３、室温検出器９、温度検出器１８、運転スイッチ２１、比例弁１６、ガス電磁弁１７、報知手段２２、制御手段２３は図の破線で電気的につながっているス比例弁１６、電磁弁１７の構成・動作は従来例と同一であるため、省略する。
【００２２】
次にその動作について説明する。
【００２３】
運転スイッチ２１を押すと、電磁弁１７、比例弁１６が開弁して、ガスがバーナー１に供給され、バーナー１でガスを燃焼させる。燃焼検出器３が燃焼を検出して、電磁弁１７が開の状態を継続してバーナーにガスを供給し続ける。発生する高温の排気ガスと、燃焼室２の燃焼風路内でエアーフィルター８を通過した対流用空気が混合される。混合された温風は、送風ファン４によって前面下部の温風吹出し口５から温風になって送出され暖房を行う。室温検出器９が室温を検出して、室温が設定温度になるように制御装置１３が比例弁１６の開度を調整して、バーナー１での燃焼をコントロールする。燃焼室２の上部に設けられた温度検出器１８が、燃焼室２の温度を検出する。エアーフィルター８にほこりが付着すると、燃焼に必要な空気が減少して、炎が伸び燃焼室２の温度が上昇する。
【００２４】
温度検出器１８は燃焼室２の温度が上昇したことを検出すると、制御装置１３が使用者に掃除をするよう目詰まり表示器１９で表示を行うように制御する。これを一般的にフィルターサインと言う。このフィルターサイン表示で使用者がほこり除去を促す。
【００２５】
バーナーで燃焼中に運転スイッチ２１を押されると、電磁弁１７・比例弁１６を閉弁して、バーナー１にガスの供給を停止させる。燃焼室２には熱が残っているので冷却するため、送風ファン４を所定時間回転させる。電磁弁１７はここでは一個しか図には記載されていないが、複数個の場合もある。通常使用時においてはガスの流れがなくなるため、バーナー１でガスが燃焼することによる火炎はなくなるため、燃焼検出器３の出力は０に近い。しかし、供給されるガスに異物が含まれている状態で長期間使用したり過酷な使い方をされると、電磁弁１７の固定鉄心３１と可動鉄心３０の間あるいは弁ゴム３３と弁座３４の間にこの異物が入り込み場合がある。固定鉄心３１の凸部と可動鉄心３０の凹部に異物が入ると、可動鉄心３０の凹部３６が固定鉄心３１の凸部にはまり込み、可動鉄心３０が上方に固定された状態になり、これに装着されている弁ゴム３３と弁座３４の間に隙間があき、コイル３２の通電をやめてもガスが流れる状態になる。
【００２６】
さらに比例弁１６にも異物が入り、弁ゴムＢ４４と弁座Ｂ４６の間につくと、わずかではあるがガスの閉止能力はなくなり、ガスが流れることになる。電磁弁１７と比例弁１６の両方に閉止する能力がなくなると、運転スイッチ２１をＯＦＦしても、燃焼が継続することになる。
【００２７】
運転スイッチ２１ＯＦＦ後所定時間経過したあと、制御手段２３が燃焼検出器３の出力を確認し、燃焼を検出すると、報知手段２２により使用者に異常を報知する。
【００２８】
（実施の形態２）
バーナー１でガスを燃焼中に運転スイッチ２１を切り、制御装置１３が電磁弁１７と比例弁１６にガスを遮断するよう信号を送る。所定時間経過後、燃焼検出器３が燃焼室２の燃焼を検出したら、制御装置１３が比例弁１６に最大燃焼時に供給する電流よりも大きい電流を所定回数供給する。通常は最大流せる電流を供給し、比例弁１６を開弁させる。この動作により、比例弁１６に振動が発生する。比例弁１６と電磁弁１７は一体となっているため電磁弁１７にも振動が伝わる。電磁弁１７の固定鉄心３１と可動鉄心３０の間この異物が入り込んだ場合、可動鉄心３０の凹部３６が固定鉄心３１の凸部にはまり込み、可動鉄心３０が上方に固定された状態になるが、この振動により可動鉄心３０の凹部３６にはまり込んだ固定鉄心３１が外れ、弁ゴム３３と弁座３４が密着して、ガスの流れを遮断する。
【００２９】
運転スイッチ２１ＯＦＦ後所定時間経過したあと、制御手段２３が燃焼検出器３の出力を確認し、燃焼を検出すると、比例弁１６に電流を供給して振動を与え電磁弁１７を閉弁してガスを遮断し、安全に使用することができる。
【００３０】
（実施の形態３）
バーナー１でガスを燃焼中に運転スイッチ２１を切り、制御装置１３が電磁弁１７と比例弁１６にガスを遮断するよう信号を送る。所定時間経過後、温度検出器１８が燃焼室２の温度を検出し、所定温度以上の温度を検出したら、報知手段２２が報知する制御手段２４を設けている。燃焼停止後、時間が経過するほど燃焼室２の温度は低下する。燃焼停止後の時間経過と温度の関係は実験で求めることができる。電磁弁１７と比例弁１６にごみ等がかみこみ、運転スイッチ２１を切っても燃焼を継続する場合に燃焼を検出でき、使用者に報知することにより、安全に使用することができる。
【００３１】
（実施の形態４）
運転スイッチ２１ＯＦＦ後に、所定時間経過しても燃焼検出器３が燃焼を検出するか、あるいは温度検出器１８が燃焼室２の温度を検出したら、報知手段２２で報知して、使用者に注意を促すが、この報知手段２２として、ブザーあるいは温度表示部にエラーコードを表示する。
【００３２】
（実施の形態５）
燃焼室２上部に設けられている燃焼検出器３は、熱電対（エレメント）とし、安価にそして確実にこの装置を実現することが可能である。
【００３３】
（実施の形態６）
温度検出器１８は、サーミスターであり、燃焼室２に取り付けられ、燃焼室２の温度を検出して、燃焼の状態を検出する。これも安価に確実にこの装置を実現することができる。
【産業上の利用可能性】
【００３４】
本発明の温風暖房機は燃料供給系を制御する電磁弁や比例弁に異物がかみこんだりした場合の安全性を確保するものであり、給湯機器などの家庭用機器にも適用可能である。
【図面の簡単な説明】
【００３５】
【図１】本発明の実施の形態１における温風暖房機の機構部の構成を示す側断面図
【図２】従来の温風暖房機の機構部の構成を示す側断面図
【図３】従来および本発明の実施の形態における電磁弁の断面図
【図４】従来および本発明の実施の形態における比例弁の断面図
【符号の説明】
【００３６】
１  バーナー
２  燃焼室
３  温度検出器
４  送風ファン
８  エアーフィルター
１３  制御装置
１４  ファンモーター
１６  比例弁
１７  電磁弁
２１  運転スイッチ
２２  報知手段
２３  制御手段
【図１】
2006105505.tif 000003
【図２】
2006105505.tif 000004
【図３】
2006105505.tif 000005
【図４】
2006105505.tif 000006